(57)【特許請求の範囲】
【請求項１】
略板状の天板と、
該天板の下面に並べて配設されて該天板を支持、固定する一対の梁体と、
一対の該梁体の長さ方向に複数配設されて該梁体を支持、固定する支持体とを備え、
該支持体のそれぞれは、一対の前記梁体のそれぞれと対応するように、上部に略水平な
一対の第一の載置面と、該第一の載置面のそれぞれから前記梁体の幅方向に続いて傾斜し
て形成された一対の第二の載置面とを有し、
一対の前記梁体のそれぞれは、前記天板が固定される天板支持面を有するとともに、前
記長さ方向の少なくとも前記支持体に支持される範囲で、前記第一の載置面に当接支持さ
れる第一の底面と、該第一の底面から続いて傾斜して形成されて前記第二の載置面に当接
支持される第二の底面とを有し、
前記支持体の上部で、それぞれの前記第二の載置面よりも傾斜下端側には、対応する前
記梁体を前記幅方向に係止する係止片が設けられていることを特徴とするテーブル。
【請求項２】
請求項１に記載のテーブルにおいて、
一対の前記梁体のそれぞれは、前記第一の底面と前記第一の載置面とが当接する範囲と
、前記第二の底面と前記二の載置面とが当接する範囲とのそれぞれで前記支持体に固着さ
れていることを特徴とするテーブル。
【請求項３】
略板状の天板と、
該天板の下面に並べて配設されて該天板を支持、固定する一対の梁体と、
一対の該梁体の長さ方向に複数配設されて該梁体を支持、固定する支持体とを備え、
該支持体のそれぞれは、一対の前記梁体のそれぞれと対応するように、上部に略水平な
一対の第一の載置面と、該第一の載置面のそれぞれから前記梁体の幅方向に続いて傾斜し
て形成された一対の第二の載置面とを有し、
一対の前記梁体のそれぞれは、前記天板が固定される天板支持面を有するとともに、前
記長さ方向の少なくとも前記支持体に支持される範囲で、前記第一の載置面に当接支持さ
れる第一の底面と、該第一の底面から続いて傾斜して形成されて前記第二の載置面に当接
支持される第二の底面とを有し、
一対の前記梁体のそれぞれは、前記第一の底面と前記第一の載置面とが当接する範囲と
、前記第二の底面と前記二の載置面とが当接する範囲とのそれぞれで前記支持体に固着さ
れていることを特徴とするテーブル。
【請求項４】
請求項１から請求項３のいずれかに記載のテーブルにおいて、
前記支持体は、前記第二の載置面のそれぞれが、傾斜上端で、対応する前記第一の載置
面に続いているとともに、一対の前記梁体のそれぞれと対応するように、前記第二の載置
面のそれぞれの傾斜下端から続く略水平な一対の第三の載置面をさらに有し、
一対の前記梁体のそれぞれは、該第三の載置面に当接支持される第三の底面を有するこ
とを特徴とするテーブル。
【請求項５】
請求項１から請求項４のいずれかに記載のテーブルにおいて、
前記支持体の上部には、一対の前記第二の載置面が前記幅方向に沿って傾斜の向きを互
いに異なるものとして形成されていることを特徴とするテーブル。
【請求項６】
請求項５に記載のテーブルにおいて、
前記支持体の上部は、一対の前記第二の載置面がそれぞれ外側から内側に向かって下る
ように傾斜して、凹状に形成されていることを特徴とするテーブル。
【請求項７】
請求項６に記載のテーブルにおいて、
前記梁体は、前記第二の底面を含む傾斜面を前記長さ方向に連続して有していることを
特徴とするテーブル。
【請求項８】
請求項１から請求項７のいずれかに記載のテーブルにおいて、
複数の前記支持体の内、前記長さ方向の最も外側に位置する前記支持体は、前記天板の
前記長さ方向の縁端よりも内側に配設されているとともに、
前記梁体は、当該支持体よりも前記長さ方向外側に張り出すように延設され、端部が前
記天板支持面から長さ方向内側に向かうように傾斜して形成されていることを特徴とする
テーブル。
【請求項９】
請求項１から請求項８のいずれかに記載のテーブルにおいて、
一対の前記梁体の間には、通線空間が形成されているとともに、
前記天板には、該天板上方と前記通線空間とを連通する配線挿通孔が形成されているこ
とを特徴とするテーブル。
【発明の詳細な説明】
【技術分野】
【０００１】
本発明は、オフィスなどの執務空間や応接室において使用されるテーブルに関する。
【背景技術】
【０００２】
オフィスなどの執務空間や応接室において使用されるテーブルの構造としては、複数の支持体上に天板を固定し、天板の剛性によって、天板の自重並びに載荷重を撓まないように支持する構造のものがある（例えば、特許文献１参照）。また、複数の支持体上に梁体を掛け渡して梁体上に天板を固定することで、梁体の剛性、または、梁体及び天板の剛性によって、天板の自重及び載荷重を撓まないように支持する構造のものがある（例えば、特許文献２参照）。
また、近年、上記のようなテーブルでは、使用性及びデザイン性から、必要な剛性を確保した上で、支持体の設置本数や部材寸法を最小限とすることが望まれている。
【特許文献１】特開２００３−２０４８２７号公報
【特許文献２】特開２０００−２７９２４７号公報
【発明の開示】
【発明が解決しようとする課題】
【０００３】
ところで、オフィスなどの執務空間や応接室において使用されるテーブルでは、会議などで多人数が同時に使用するために、一方向に細長い天板を使用したものを求められる場合がある。しかしながら、細長の天板を使用しつつ、支持体の設置本数を最小限にしようとすると、特許文献１のように天板自身の剛性で自重及び載荷重を支持するものでは、天板が非常に厚くなり、重くなってしまう。このため、テーブルの全体重量が増大してしまうとともに、天板を組み立てる際の組立性が低下してしまう問題があった。
また、特許文献２のようなテーブルでは、天板の厚さを最小限とすることができ、全体重量としては特許文献１のテーブルと比較して軽量とすることができるが、支持体の間隔が大きくなるのに伴って梁体の重量が増大してしまう。このため、梁体を持ち上げて、支持体上において所定の固定位置に設置するのが困難となり、梁体の組立性が低下してしまう問題があった。
【０００４】
この発明は、上述した事情に鑑みてなされたものであって、支持体の間隔が大きくなって梁体の重量が増大としたとしても、支持体に対して容易に梁体を組み付けることが可能であるとともに、組立後には梁体が確実に支持体に支持、固定された状態とすることができるテーブルを提供するものである。
【課題を解決するための手段】
【０００５】
上記課題を解決するために、この発明は以下の手段を提案している。 
本発明のテーブルは、略板状の天板と、該天板の下面に並べて配設されて該天板を支持、固定する一対の梁体と、一対の該梁体の長さ方向に複数配設されて該梁体を支持、固定する支持体とを備え、該支持体のそれぞれは、一対の前記梁体のそれぞれと対応するように、上部に略水平な一対の第一の載置面と、該第一の載置面のそれぞれから前記梁体の幅方向に続いて傾斜して形成された一対の第二の載置面とを有し、一対の前記梁体のそれぞれは、前記天板が固定される天板支持面を有するとともに、前記長さ方向の少なくとも前記支持体に支持される範囲で、前記第一の載置面に当接支持される第一の底面と、該第一の底面から続いて傾斜して形成されて前記第二の載置面に当接支持される第二の底面とを有し、
前記支持体の上部で、それぞれの前記第二の載置面よりも傾斜下端側には、対応する前
記梁体を前記幅方向に係止する係止片が設けられていることを特徴としている。
【０００６】
この発明に係るテーブルによれば、一対の梁体のそれぞれは、第一の底面が略水平面である第一の載置面に当接支持され、また、第二の底面が傾斜面である第二の載置面に当接支持されていることで、支持体に確実に支持、固定された状態となる。そして、天板は、支持体に支持された一対の梁体の各天板支持面に支持、固定されていることで、支持体の間隔が大きくなったとしても、天板を、厚さを最小限としつつ梁体によって撓まないように確実に支持した構造とすることができる。
また、支持体に梁体を組み付ける際に、傾斜面である第二の載置面を下降するように案内される梁体は、固定位置において、第一の底面が略水平面である第一の載置面に当接するとともに、係止片によって幅方向に係止されることで、より確実に位置決めすることができる。
【０００７】
ここで、支持体、梁体及び天板を組み立てる際には、以下のように行う。すなわち、複数の支持体を所定の間隔で並べて配置する。次に、支持体を並べた方向に沿って支持体の近傍に配置した梁体を持ち上げて、支持体の上方まで移動させる。次に、作業者は、当該梁体を持ち上げた状態で支持体との相対的位置を概略位置合わせてした後に、梁体を降下させる。ここで、支持体が傾斜面である第二の載置面を有しているとともに、梁体が対応する第二の底面を有している。このため、支持体に対して梁体の幅方向の位置が多少異なっていたとしても、支持体の第二の載置面に第二の底面で当接した梁体は、自重により第二の載置面の傾斜に沿って下降することとなり、作業者が微調整することなく支持体上部の所定の固定位置まで案内されることとなる。そして、梁体が所定の固定位置まで案内されると、自らの第一の底面も、支持体の略水平面である第一の載置面と当接することとなり、これにより梁体は支持体上部の所定の固定位置に正確に位置決めされ、確実に支持された状態となる。そして、梁体を支持体に確実に固定した後に、梁体の天板支持面に天板を載置し、固定することで、支持体、梁体及び天板は一体的に組み立てられた状態となる。
【０００８】
また、上記のテーブルにおいて、一対の前記梁体のそれぞれは、前記第一の底面と前記第一の載置面とが当接する範囲と、前記第二の底面と前記二の載置面とが当接する範囲とのそれぞれで前記支持体に固着されていることがより好ましいとされている。
【０００９】
この発明に係るテーブルによれば、梁体は、第一の底面の範囲と第二の底面の範囲とのそれぞれで支持体の第一の載置面及び第二の載置面のそれぞれに固着されていることで、梁体と支持体との連結をより強固なものとすることができる。
【００１０】
また、上記のテーブルにおいて、略板状の天板と、該天板の下面に並べて配設されて該天板を支持、固定する一対の梁体と、一対の該梁体の長さ方向に複数配設されて該梁体を支持、固定する支持体とを備え、該支持体のそれぞれは、一対の前記梁体のそれぞれと対応するように、上部に略水平な一対の第一の載置面と、該第一の載置面のそれぞれから前記梁体の幅方向に続いて傾斜して形成された一対の第二の載置面とを有し、一対の前記梁体のそれぞれは、前記天板が固定される天板支持面を有するとともに、前記長さ方向の少なくとも前記支持体に支持される範囲で、前記第一の載置面に当接支持される第一の底面と、該第一の底面から続いて傾斜して形成されて前記第二の載置面に当接支持される第二の底面とを有し、一対の前記梁体のそれぞれは、前記第一の底面と前記第一の載置面とが当接する範囲と、前記第二の底面と前記二の載置面とが当接する範囲とのそれぞれで前記支持体に固着されていることがより好ましいとされている。
【００１１】
この発明に係るテーブルによれば、一対の梁体のそれぞれは、第一の底面が略水平面である第一の載置面に当接支持され、また、第二の底面が傾斜面である第二の載置面に当接支持されていることで、支持体に確実に支持、固定された状態となる。そして、天板は、支持体に支持された一対の梁体の各天板支持面に支持、固定されていることで、支持体の間隔が大きくなったとしても、天板を、厚さを最小限としつつ梁体によって撓まないように確実に支持した構造とすることができる。
また、梁体は、第一の底面の範囲と第二の底面の範囲とのそれぞれで支持体の第一の載置面及び第二の載置面のそれぞれに固着されていることで、梁体と支持体との連結をより強固なものとすることができる。
【００１２】
また、上記のテーブルにおいて、前記支持体は、前記第二の載置面のそれぞれが、傾斜上端で、対応する前記第一の載置面に続いているとともに、一対の前記梁体のそれぞれと対応するように、前記第二の載置面のそれぞれの傾斜下端から続く略水平な一対の第三の載置面をさらに有し、一対の前記梁体のそれぞれは、該第三の載置面に当接支持される第三の底面を有することがより好ましいとされている。
【００１３】
この発明に係るテーブルによれば、梁体のそれぞれは、支持体において、傾斜面である第二の載置面に当接支持されるとともに、傾斜上端及び下端の両側で、略水平面である第一の載置面及び第三の載置面で当接支持されるので、支持体によって梁体をより安定的に支持することができる。また、支持体に梁体を組み付ける際にも、傾斜面である第二の載置面を下降するように案内される梁体は、固定位置において、第一の底面が略水平面である第一の載置面に当接するとともに、第三の底面も他の略水平面である第三の載置面に当接することで、より確実に位置決めすることができる。
【００１４】
また、上記のテーブルにおいて、前記支持体の上部には、一対の前記第二の載置面が前記幅方向に沿って傾斜の向きを互いに異なるものとして形成されていることがより好ましいとされている。
【００１５】
この発明に係るテーブルによれば、梁体が傾斜面である第二の載置面を利用して支持されることによって支持体には水平力が作用することとなるが、一対の梁体のそれぞれと対応する一対の第二の載置面が幅方向に沿って傾斜の向きが互いに異なことで、それぞれの梁体によって支持体に作用する水平力は打ち消しあうこととなる。このため、支持体によってより安定的に梁体及び天板を支持することができる。
【００１６】
さらに、上記のテーブルにおいて、前記支持体の上部は、一対の前記第二の載置面がそれぞれ外側から内側に向かって下るように傾斜して、凹状に形成されていることがより好ましいとされている。
【００１７】
この発明に係るテーブルによれば、一対の梁体を支持体に組み付ける場合、まず、梁体のそれぞれを、支持体の両外側から持ち上げて幅方向内側へ向かって移動させる。そして、対応する第二の載置面上に載置することで、そのまま第二の載置面の傾斜に沿って幅方向内側に向かって下降するようにして所定の固定位置まで案内されることとなる。このため、より容易に支持体に梁体を組み付けることができる。
【００１８】
また、上記のテーブルにおいて、前記梁体は、前記第二の底面を含む傾斜面を前記長さ方向に連続して有していることがより好ましいとされている。
【００１９】
この発明に係るテーブルによれば、梁体の傾斜面が支持体の第二の載置面と対応して外側から内側に向かって下るようにして傾斜した第二の底面を含むようにして、長さ方向に連続している。このため、梁体の上部において、天板支持面によって天板を幅方向のより広い範囲で確実に支持することができるとともに、着席した使用者の足が天板の下方に配置されたとしても梁体が支障となってしまうことが無い。
【００２０】
また、上記のテーブルにおいて、複数の前記支持体の内、前記長さ方向の最も外側に位置する前記支持体は、前記天板の前記長さ方向の縁端よりも内側に配設されているとともに、前記梁体は、当該支持体よりも前記長さ方向外側に張り出すように延設され、端部が前記天板支持面から長さ方向内側に向かうように傾斜して形成されていることがより好ましいとされている。
【００２１】
この発明に係るテーブルによれば、支持体が長さ方向において天板の縁端よりも内側に配設されているとともに、梁体が支持体よりも長さ方向外側に張り出すように延設されていることで、天板を長さ方向に確実に支持することができる。一方、上記のように支持体が内側に配設されているとともに、張り出した梁体も端部が天板支持面から長さ方向内側に向かうようにして傾斜していることで、長さ方向端部に使用者が着席したとしても、支持体及び梁体が支障となってしまうことが無い。
【００２４】
また、上記のテーブルにおいて、一対の前記梁体の間には、通線空間が形成されているとともに、前記天板には、該天板上方と前記通線空間とを連通する配線挿通孔が形成されていることがより好ましいとされている。
【００２５】
この発明に係るテーブルによれば、天板上で使用する電気機器の配線について、配線挿通孔から梁体間の通線空間に連絡させて、天板によって塞がれた通線空間内を長さ方向に沿って配設することができる。このため、天板上で自由に電子機器を利用しつつ、その配線を隠すことができ、使用時において天板上の体裁を良好なものとすることができる。
【発明の効果】
【００２６】
本発明のテーブルによれば、一対の第一の載置面及び一対の第二の載置面を有する支持体と、第一の底面及び第二の底面を有する一対の梁体とを備えていることで、支持体の間隔が大きくなって梁体の重量が増大としたとしても、支持体に対して容易に梁体を組み付けることが可能である。また、組立後には梁体が確実に支持体に支持、固定された状態とすることができる
【発明を実施するための最良の形態】
【００２７】
図１から図７は、この発明に係る実施形態を示している。図１及び図２に示すように、本実施形態のテーブル１は、略板状の天板１０と、天板１０を支持、固定する一対の梁体２０と、床面Ｆ上に立設されて梁体２０を支持、固定する支持体３０とを備え、全体として一方向に細長く形成されている。
【００２８】
支持体３０は、梁体２０の長さ方向Ｘ両側に二つ配設されていて、長さ方向Ｘと直交する幅方向Ｙに幅広に形成され、幅方向Ｙに並べられた一対の梁体２０を支持している。支持体３０は、略箱状の本体部３１と、床面Ｆ上に載置されて本体部３１を支持する支持板３２とを有する。そして、本体部３１と支持板３２との間には、複数のアジャスター３３が設けられていて、これにより床面Ｆの傾斜に対して本体部３１の高さ及び水平度を調整することが可能となっている。
【００２９】
本体部３１の側部を構成する側板３１ａは、着脱可能となっている。また、本体部３１の上部には、一対の梁体２０のそれぞれと対応して、幅方向Ｙ外側から内側に向かって順に、略水平な一対の第一の載置面３４Ａ、３４Ｂと、第一の載置面３４Ａ、３４Ｂのそれぞれから下るように傾斜した一対の第二の載置面３５Ａ、３５Ｂと、第二の載置面３５Ａ、３５Ｂのそれぞれの傾斜下端から続いた略水平な一対の第三の載置面３６Ａ、３６Ｂとが形成されている。一対の梁体２０のそれぞれと対応する第三の載置面３６Ａ、３６Ｂは連続した平面部３１ｂを形成していて、本体部３１の上部は、全体として凹状に形成されている。また、各第二の載置面３５Ａ、３５Ｂよりも傾斜下端側となる各第三の載置面３６Ａ、３６Ｂ上には、それぞれと対応する梁体２０を幅方向Ｙに係止する係止片３７が突出している。また、本体部３１には、幅方向Ｙ中央に上下方向Ｚに延び、一対の第三の載置面３６Ａ、３６Ｂの間に開口する連絡溝３１ｃが形成されていて、後述するように天板１０上に配置される電気機器からの配線を床面Ｆまで配設可能となっている。
【００３０】
図３に示すように、一対の梁体２０は、それぞれ、幅方向Ｙ外側となる縁端２０ａが支持体３０の側部と略一致するように、また、図１及び図２に示すように、長さ方向Ｘの端部２０ｂが支持体３０よりも外側に張り出すようにして延設され、支持体３０に支持されている。梁体２０は、それぞれ、天板１０が載置される上面となる天板支持面２１と、幅方向Ｙ外側から内側に向かって傾斜した下面となる傾斜面２２が長さ方向Ｘに連続して形成されていて、断面略三角形状に形成されている。また、梁体２０の長さ方向Ｘの端部２０ｂは、天板支持面２１から長さ方向Ｘ内側に向かうようにして傾斜して形成されていて、エンドカバー２０ｃによって覆われている。そして、梁体２０は、重量を抑えつつ剛性を高めるために内部が空洞となっており、内部中央には剛性をさらに高めるために補強板２０ｄが上下方向Ｚに沿って設けられている。また、図２及び図４に示すように、本実施形態では、各梁体２０は、支持体３０間のスパン長をより長くするために、二つの梁部材２０ｅを断面略Ｃ形の第一のジョイント部材２０ｆ及び断面くの字形の第二のジョイント部材２０ｇによって長さ方向Ｘに連結して構成している。
【００３１】
また、図３に示すように、一対の梁体２０は、それぞれ、幅方向Ｙ外側から内側に向かって順に、支持体３０の第一の載置面３４Ａ、３４Ｂと対応する略水平な第一の底面２３と、第二の載置面３５Ａ、３５Ｂと対応して第一の底面２３から続いて傾斜して形成された第二の底面２４と、第三の載置面３６Ａ、３６Ｂと対応して第二の底面２４から続く略水平な第三の底面２５とを有する。ここで、第二の底面２４は、傾斜面２２の一部として形成されている。そして、各梁体２０は、第一の底面２３が第一の載置面３４Ａ、３４Ｂに、第二の底面２４が第二の載置面３５Ａ、３５Ｂに、第三の底面２５が第三の載置面３６Ａ、３６Ｂに当接していることで、支持体３０に支持されている。
【００３２】
さらに、一対の梁体２０は、それぞれ下部において、幅方向Ｙ内側に突出する被係止端２６が設けられていて、支持体３０の係止片３７に当接して幅方向Ｙに係止されている。また、第一の底面２３及び第二の底面２４には、それぞれネジ穴２８が形成されている。一方、支持体３０の上部において、第一の載置面３４Ａ、３４Ｂ及び第二の載置面３５Ａ、３５Ｂには、各ネジ穴２８と対応して本体部３１の内部まで連通する挿通孔３８が形成されている。そして、本体部３１の内部から挿通孔３８に挿通されてネジ穴２８に螺合された梁固定ボルト４０によって、各梁体２０は、第一の載置面３４Ａ、３４Ｂ及び第二の載置面３５Ａ、３５Ｂで支持体３０に固着されている。
【００３３】
また、図１に示すように、天板１０は、本実施形態では、長さ方向Ｘに二分割、幅方向Ｙに二分割、全体として四分割された板部材１１によって構成されている。そして、図３に示すように、天板１０を構成する各板部材１１は、下面が各天板支持面２１に当接することで各梁体２０に支持された状態となっている。また、図４に示すように、各板部材１１の下面には、長さ方向Ｘの複数箇所にネジ穴１２が形成されている。一方、梁体２０には、長さ方向Ｘの複数箇所に上下方向Ｚに連通する挿通孔２９が形成されている。そして、下側から挿通孔２９に挿通された天板固定ボルト４１が板部材１１のネジ穴１２に螺合されていることで、天板１０を構成する各板部材１１は梁体２０に固着されている。
【００３４】
ここで、各板部材１１の下面には、第一の被係止片１３及び第二の被係止片１４が取り付けられている。第一の被係止片１３及び第二の被係止片１４は、それぞれ幅方向Ｙ内側に向かって突出している。また、各梁体２０の天板支持面２１には、第一の被係止片１３及び第二の被係止片１４とそれぞれ対応するように、長さ方向Ｘに延びる第一の係止溝２１ａ及び第二の係止溝２１ｂが形成されている。第一の係止溝２１ａ及び第二の係止溝２１ｂには、幅方向Ｙ内側側縁から外側に向かって突出する係止縁部２１ｃ、２１ｄがそれぞれ設けられている。そして、天板１０を構成する各板部材１１が梁体２０に支持された状態では、第一の被係止片１３及び第二の被係止片１４は、それぞれ、対応する第一の係止溝２１ａ及び第二の係止溝２１ｂに挿入されることで各係止縁部２１ｃ、２１ｄに係合されており、これにより天板固定ボルト４１による固定と併せて各板部材１１を梁体２０に確実に固定した状態としている。
【００３５】
また、板部材１１には、幅方向Ｙ内側となる位置にそれぞれ切欠き１１ａが形成されている。そして、各板部材１１を梁体２０上に固定して組み合わせた状態において、天板１０には、切欠き１１ａによって幅方向Ｙ中央に上下に連通して長さ方向Ｘに延びる配線連通孔１０ａが形成されている。配線連通孔１０ａは、通常時においては、天板蓋１０ｂによって閉塞されている。一対の梁体２０の互いに対向する面には、蓋取付用溝２０ｈが長さ方向Ｘに延びるように形成されている。そして、この蓋取付用溝２０ｈには、上方へ延びる支持部材１５が係止されており、天板蓋１０ｂは、支持部材１５によって支持されて、配線連通孔１０ａを閉塞している。天板蓋１０ｂは、支持部材１５に対して着脱可能であり、取り外すことで、天板１０上で使用する電気機器の配線を、配線連通孔１０ａを介して一対の梁体２０間を通線空間４３として配設することが可能となっている。通線空間４３の底部は、一対の梁体２０間に係合された底板４３ａで閉塞されており、この底板４３ａ上に配線を配置することが可能である。通線空間４３に配設された電気機器の配線は、さらに梁体２０と支持体３０とが固定された位置で、上記の連絡溝３１ｃを介して床面Ｆの電源等と接続可能となっている。
【００３６】
以上のようなテーブル１では、天板１０は、支持体３０に支持された一対の梁体２０の天板支持面２１に支持、固定されていることで、支持体３０の間隔が大きくなったとしても、天板１０を、厚さを最小限としつつ梁体２０によって撓まないように確実に支持した構造とすることができる。また、梁体２０は傾斜面２２を有していて、天板１０を支持する天板支持面２１の幅方向Ｙの寸法を大きく確保することができる。さらに、梁体２０は、縁端２０ａを支持体３０の側部と略一致するようにして配設されている。このため、天板１０を幅方向Ｙのより広い範囲で確実に支持することができ、天板１０の幅方向Ｙの撓みをより有効に防止することができる。一方、各梁体２０は、傾斜面２２が幅方向Ｙ外側で長さ方向Ｘに連続して形成されていることから、長さ方向Ｘに沿って使用者が着席して足が天板１０の下方に配置されたとしても梁体２０が支障となってしまうことが無い。
【００３７】
同様に、梁体２０は、支持体３０よりも長さ方向Ｘ外側に張り出すように延設されていて端部２０ｂが傾斜している。このため、長さ方向Ｘにも天板１０をより広い範囲で確実に支持し、天板１０の長さ方向Ｘの撓みを有効に防止するとともに、幅方向Ｙに沿って使用者が着席して足が天板１０の下方に配置されたとしても梁体２０及び支持体３０が支障となってしまうことが無い。
【００３８】
また、天板１０を支持する梁体２０は、傾斜面である第二の載置面３５Ａ、３５Ｂとともに、略水平面である第一の載置面３４Ａ、３４Ｂ及び第三の載置面３６Ａ、３６Ｂによって支持されていることで、確実に支持された状態となっている。特に、本実施形態では、傾斜面である第二の載置面３５Ａ、３５Ｂの傾斜上端及び下端の両側に略水平面を有して支持していることでより安定的に支持することができる。さらに、一対の梁体２０のそれぞれと対応する第二の載置面３５Ａ、３５Ｂは、幅方向Ｙ外側から内側へと傾斜しており、傾斜の向きが互いに異なるように設定されている。このため、傾斜面である第二の載置面３５Ａ、３５Ｂによって梁体２０を支持することで、支持体３０には水平力が作用することとなるが、それぞれの梁体２０によって作用する水平力が打ち消しあうこととなるので、支持体３０によってより安定的に梁体２０を支持することができる。そして、固定する手段である梁固定ボルト４０によって第一の載置面３４Ａ、３４Ｂ及び第二の載置面３５Ａ、３５Ｂと、異なる二つの載置面で固定することで、支持体３０に対して梁体２０をより強固に固定することができる。
【００３９】
次に、本実施形態のテーブル１の組み立て手順について説明する。まず、図５に示すように、テーブル１を設置する床面Ｆ上において、支持体３０を所定の間隔で並べて配置する。この際、アジャスター３３を調整することで、二つの支持体３０の高さ及び水平度を調整しておく。
【００４０】
次に、図６及び図７に示すように、支持体３０を並べた方向に沿って支持体３０の近傍で梁体２０を組み立てる。次に、組み立てた梁体２０を持ち上げて、幅方向Ｙ外側から内側へ移動させることで、支持体３０の上方に配置させる。そして、当該梁体２０を持ち上げた状態で支持体３０との相対的位置を概略位置合わせてした後に、梁体２０を降下させる。ここで、支持体３０が傾斜面である第二の載置面３５Ａ、３５Ｂを有しているとともに、梁体２０が第二の載置面３５Ａ、３５Ｂと対応して傾斜面である第二の底面２４を有している。このため、支持体３０に対して梁体２０の幅方向Ｙの位置が異なっていたとしても、支持体３０の第二の載置面３５Ａ、３５Ｂに第二の底面２４で当接した梁体２０は、そのまま自重により第二の載置面３５Ａ、３５Ｂの傾斜に沿って下降することとなり、組み立てを行う作業者が微調整することなく支持体３０上部の所定の固定位置まで案内されることとなる。この際、作業者が梁体２０を持ち上げて移動させる方向と、各第二の載置面３５Ａ、３５Ｂの傾斜が下っていく向きが幅方向Ｙ外側から内側で一致しているので、作業者が持ち上げた梁体２０の移動方向を変えることなく所定の固定位置まで案内されることとなり、より容易に支持体３０に梁体２０を組み付けることができる。
【００４１】
そして、梁体２０が所定の固定位置まで案内されると、自らの第一の底面２３と支持体３０の略水平面である第一の載置面３４Ａ、３４Ｂとが当接することとなり、梁体２０は支持体３０上部の所定の固定位置に正確に位置決めされ、確実に支持された状態となる。特に、本実施形態では、第三の底面２５も略水平面である第三の載置面３６Ａ、３６Ｂに当接することとなり、さらに、自らの被係止端２６が支持体３０の係止片３７に幅方向Ｙに係止されることとなり、より確実に位置決めされ支持された状態とすることができる。次に、支持体３０の本体部３１の側板３１ａを取り外し、梁固定ボルト４０を、本体部３１の内部から、挿通孔３８に挿通させて、梁体２０のネジ穴２８に螺合させ、これにより梁体２０は支持体３０に固定された状態となる。また、一対の梁体２０が固定された状態でそれぞれに底板４３ａを係合させることで、通線空間４３となる底部を閉塞させる。
【００４２】
次に、図３及び図４に示すように、天板１０を取り付ける。まず、天板１０を構成する各板部材１１の下面に、それぞれ、第一の被係止片１３及び第二の被係止片１４を取り付ける。次に、各板部材１１を梁体２０に載置する。この際、各板部材１１は、所定の位置よりも若干幅方向Ｙ外側に配置しおく。そして、各板部材１１について、幅方向Ｙ外側から内側に向かってスライドさせることで、第一の被係止片１３及び第二の被係止片１４が対応する第一の係止溝２１ａ及び第二の係止溝２１ｂに没入し、係止縁部２１ｃ、２１ｄに係止された状態となり、これにより板部材１１は、上下方向Ｚ及び幅方向Ｙに確実に位置決めされた状態となる。そして、梁体２０の下側から挿通孔２９に天板固定ボルト４１を挿通させてネジ穴１２に螺合させることで、天板１０は梁体２０に固定されることとなり、支持体３０、梁体２０及び天板１０は、図１及び図２に示すような状態で一体的に組み立てられた状態となる。最後に、梁体２０の蓋取付用溝２０ｈに支持部材１５を係合させ、支持部材１５に天板蓋１０ｂを取り付けることで、天板１０の配線連通孔１０ａが閉塞されて、組立て完了となる。
【００４３】
以上のように、本実施形態のテーブル１では、上記のような支持体３０、梁体２０及び天板１０を備えていることで、支持体３０の間隔が大きくなって梁体２０の重量が増大としたとしても、支持体３０に対して容易に梁体２０を組み付けることが可能であり、組立後には梁体２０が確実に支持体３０に支持、固定された状態とすることができる
【００４４】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００４５】
【図１】本発明の実施形態のテーブルの全体を示す斜視図である。
【図２】本発明の実施形態のテーブルの全体を示す正面図である。
【図３】図２の切断線Ａ−Ａで一部を破断した側面図である。
【図４】図２の切断線Ｂ−Ｂで破断した断面図である。
【図５】本発明の実施形態のテーブルの組立において、支持体を配置する説明図である。
【図６】本発明の実施形態のテーブルの組立において、梁体を固定する説明図である。
【図７】本発明の実施形態のテーブルの組立において、梁体を固定する説明図である。
【符号の説明】
【００４６】
１  テーブル
１０  天板
１０ａ  配線挿通孔
２０  梁体
２１  天板支持面
２２  傾斜面
２３  第一の底面
２４  第二の底面
２５  第三の底面
３０  支持体
３４Ａ、３４Ｂ  第一の載置面
３５Ａ、３５Ｂ  第二の載置面
３６Ａ、３６Ｂ  第三の載置面
３７  係止片
４３  通線空間
Ｘ  長さ方向
Ｙ  幅方向
【図１】
0005186181.tif 000002
【図２】
0005186181.tif 000003
【図３】
0005186181.tif 000004
【図４】
0005186181.tif 000005
【図５】
0005186181.tif 000006
【図６】
0005186181.tif 000007
【図７】
0005186181.tif 000008